(57)【特許請求の範囲】
【請求項１】
左右対称に縦穴が形成された中空構造の支柱と当該支柱の下端から前後方向に連設された安定接地部とから成る左右一対の脚体と、前記縦孔の任意の一方に差込み連結される垂直杆とその上端から直角に連設された水平杆とから成る左右一対の連結杆と、下面両側部に前記連結杆の水平杆が差込み連結される横穴を有する天板とを備えている組立机であって、前記支柱が、縦長矩形状をなす平坦な中央仕切り板の両面に、平坦な両側板部と前記縦穴を形成するように折り曲げられた折曲板部とから成り、折曲板部に前記連結杆の垂直杆をねじ止めするためのねじ挿通孔が形成された二枚の左右対称の折曲板を、これら三者の端縁を揃えた状態に接合して構成した支柱本体と、当該支柱本体の前後両側部に対して各々上方から挿抜自在に嵌合する前後一対の化粧カバーとで構成されていることを特徴とする組立机。
【請求項２】
前記連結杆を中空構造とし、前記支柱および連結杆の内部を配線用空間に構成してある請求項１に記載の組立机。
【発明の詳細な説明】
【０００１】
【産業上の利用分野】
本発明は、例えば、事務用の机のように、天板とそれを支える左右一対の脚体とを備えた机に関し、より詳しくは、必要に応じて天板や脚体などの構成部品を追加することにより、天板どうしが繋ぎあわされて実質的に長尺の机を構成できるようにした組立机に関するものである。
【０００２】
【従来の技術】
支柱とその下端から前後方向に連設された安定接地部とによって逆Ｔ字状に形成された左右一対の脚体と、当該脚体によって支えされる天板とから構成される組立式の机は、既に、知られている。この机は、天板を逆Ｔ字状の脚体で支えるため、天板の四隅を直線的な４本の脚体で支える一般的な机に比べると、脚体の数が少なく、シンプルかつ斬新なデザインである上、脚体が邪魔にならないので、使い勝手も良いなど、多くの利点を有している。
【０００３】
【発明が解決しようとする課題】
しかしながら、上記の机を任意数並べて、長尺の机として使用する場合、天板どうしが連結されていないので、実質的に一つの長尺机とはならず、しかも、机１台につき２本の脚体であるから、一般的な机に比較すると、脚体の数が半分であるとはいえ、２台で４本、３台で６本、４台で８本、５台で１０本といったように、数多くの脚体が使用されることになり、無駄が多く、デザインのシンプルさも損なわれることになる。
【０００４】
本発明は、上記の点に留意してなされたものであって、その目的とするところは、必要に応じて天板や脚体などの構成部品を追加することにより、天板どうしが繋ぎあわされて実質的に一つの剛な長尺机を構成でき、しかも、天板の数の割に脚体の数が少なくて無駄のないシンプルなデザインの長尺机とすることができる組立机を提供することにある。
【０００５】
本発明の他の目的は、脚体を金属板で製作した場合にも、材料金属板の端縁（エッヂ）を隠蔽して安全を確保できると同時に美麗な外観が得られるらようにすることにある。
【０００６】
本発明の他の目的は、天板の上に載置して使用される各種電気機器（例えば、電話機、パーソナルコンピュータ、ワードプロセッサ、照明器具など）への配線ができるだけ露出しないようにすることにある。
【０００７】
【課題を解決するための手段】
上記の目的を達成するために、本発明が講じた技術的手段は、次のとおりである。即ち、本発明による組立机は、左右対称に縦穴が形成された中空構造の支柱と当該支柱の下端から前後方向に連設された安定接地部とから成る左右一対の脚体と、前記縦孔の任意の一方に差込み連結される垂直杆とその上端から直角に連設された水平杆とから成る左右一対の連結杆と、下面両側部に前記連結杆の水平杆が差込み連結される横穴を有する天板とを備えている組立机であって、前記支柱が、縦長矩形状をなす平坦な中央仕切り板の両面に、平坦な両側板部と前記縦穴を形成するように折り曲げられた折曲板部とから成り、折曲板部に前記連結杆の垂直杆をねじ止めするためのねじ挿通孔が形成された二枚の左右対称の折曲板を、これら三者の端縁を揃えた状態に接合して構成した支柱本体と、当該支柱本体の前後両側部に対して各々上方から挿抜自在に嵌合する前後一対の化粧カバーとで構成されていることを特徴としている。
【０００８】
【作用】
上記の構成によれば、天板の下面両側部に設けられた横穴に、夫々、連結杆の水平杆を差込み連結する一方、左右一対の脚体における各支柱の縦穴に、前記連結杆の垂直杆を、夫々、差込み連結することにより、天板が一対の逆Ｔ字状の脚体で支持された単一の組立机を組み立てることができる。
【０００９】
そして、この組立机を任意個数繋ぎ合わせて長尺机とする場合には、前記支柱における不使用の縦穴、つまり、前記支柱に左右対称に形成されている縦穴のうち、前記連結杆の垂直杆が差し込まれていない側の縦穴に、別途用意された連結杆の垂直杆を差込み連結し、当該連結杆の水平杆を別途用意された天板の横穴に差込み連結し、当該天板における反対側の横穴に別途用意された連結杆の水平杆を差込み連結し、当該連結杆の垂直杆を別途用意された脚体の支柱の縦穴に差込み連結する等の手順により、天板および脚体を継ぎ足して行き、任意枚数の天板が隣接部位の脚体を共用し且つ隣接部位の脚体を介して互いに連結された実質的に一つの長尺机を組み立てることができる。
【００１０】
尚、本発明において、前記支柱が、縦長矩形状をなす平坦な中央仕切り板の両面に、平坦な両側板部と前記縦穴を形成するように折り曲げられた折曲板部とから成り、折曲板部に前記連結杆の垂直杆をねじ止めするためのねじ挿通孔が形成された二枚の左右対称の折曲板を、これら三者の端縁を揃えた状態に接合して構成した支柱本体と、当該支柱本体の前後両側部に対して各々上方から挿抜自在に嵌合する前後一対の化粧カバーとで構成されていることは、後述する理由により好ましいものである。また、前記連結杆を中空構造とし、前記支柱および連結杆の内部を配線用空間に構成することは、後述する理由により好ましい。
【００１１】
【実施例】
以下、本発明の実施例を図面に基づいて説明する。図１〜図６は、本発明に係る組立机Ａの一例を示す。この組立机Ａは、方形の天板１と、逆Ｔ字状をなす左右一対の脚体２，２と、略Ｌ字状をなす左右一対の連結杆３，３とを備えている。前記各脚体２は、左右対称に縦穴ａ，ａが形成された中空構造の支柱４と当該支柱４の下端から前後方向へ直角に連設された安定接地部５とによって構成されている。安定接地部５は、中空構造とされ、前後両端側には、図５、図６に示すように、ねじ式のレベルアジャスター６，６が付設されている。
【００１２】
前記各連結杆３は、縦孔ａ，ａの任意の一方ａに差込み連結される垂直杆３ａとその上端から直角に連設された水平杆３ｂとから構成されており、図示のとおり、中空構造とされている。そして、中空構造の支柱４および連結杆３の内部は配線用空間に構成され、必要があれば、図１０に示すように、電話線やその他の電線Ｂを配線できるようになっている。
【００１３】
前記天板１の下面両側部には、前記水平杆３ｂが密に嵌まり込む寸法の横穴ｂ，ｂが形成されている。具体的には、図２に示すように、左右両端の開口した溝ｄを有する補強枠７が天板１の下面に固着されており、前記溝ｄの両端と天板１の下面とで、前記横穴ｂ，ｂを形成している。ｃ…は、補強枠７に形成した配線取出し用孔である。
【００１４】
前記各連結杆３の水平杆３ｂの両側面には、ねじ孔ｄ，ｄが形成されており、補強枠７の側面には、それに対応する貫通孔ｅ，ｅが形成されている。そして、水平杆３ｂを横穴ｂに差し込んだ状態で、貫通孔ｅ，ｅから差し込んだ留めねじ８，８を前記ねじ孔ｄ，ｄにねじ込んで、水平杆３ｂと補強枠７を固定し、延いては、連結杆３と天板１を固定するようになっている。
【００１５】
各連結杆３の垂直杆３ａには、上下方向の長孔ｆが形成されており、垂直杆３ａの内部には、長孔ｆと対向するねじ孔を有するナット部材９ａが長孔ｆに沿ってスライドのみ自在に内蔵されている。ナット部材９ａは、垂直杆３ａ内面との摩擦力によって定位置に軽く保たれるようになっているが、ナット部材９ａに磁力を与え、垂直杆３ａとの吸着によって定位置に軽く保たれるように構成してもよい。９ｂは、前記ナット部材９ａに螺合する留めねじである。
【００１６】
前記各支柱４は、下端を安定接地部５に溶接等の手段により固着した鋼板製の支柱本体１０と、支柱本体１０の前後両側部に対して各々上方から挿抜自在に嵌合する前後一対の化粧カバー１１ａ，１１ｂとで構成されている。支柱本体１０は、縦長矩形状をなす平坦な中央仕切り板１２の両面に、平坦な両側板部１３ａ，１３ａと前記縦穴ａを形成するように折り曲げられた折曲板部１３ｂとから成り、折曲板部１３ｂに前記連結杆３の垂直杆３ａをねじ止めするためのねじ挿通孔ｇが複数個適当間隔おきに形成された二枚の左右対称の折曲板１３，１３を、これら三者１３，１２，１３の端縁を揃えた状態に溶接等の手段で接合して構成されている。化粧カバー１１ａ，１１ｂは、任意の色彩（例えば、支柱本体１０と安定接地部５を同色とし、化粧カバー１１ａ，１１ｂだけを異なる色にする。）に塗装された鋼板等によって、奥拡がりの溝を有する断面形状に屈曲形成されており、支柱本体１０に対して上方から嵌合させることにより、溝開口縁が前記両折曲板１３，１３の折曲部に係合するようになっている。
【００１７】
尚、図２、図５に示す１４ａ，１４ｂと１５は、合成樹脂製の化粧蓋であり、化粧蓋１４ａ，１４ｂは、図１に示すように、化粧カバー１１ａ，１１ｂの上端開口部を閉塞し、化粧蓋１５は、図１、図３に示すように、前記支柱４における不使用の縦穴（左右対称に形成されている縦穴ａ，ａのうち、連結杆３の垂直杆３ａが差し込まれていない側の縦穴
）ａの上端開口部を閉塞するようになっている。
【００１８】
上記の構成によれば、天板１の下面両側部に設けられた横穴ｂ，ｂに、夫々、連結杆３，３の水平杆３ｂ，３ｂを差込み連結する一方、左右一対の脚体２，２における各支柱４，４の縦穴ａ，ａに、前記連結杆３，３の垂直杆３ａ，３ａを、夫々、差込み連結することにより、天板１が一対の逆Ｔ字状の脚体２，２で支持された単一の組立机Ａを組み立てることができる。
【００１９】
そして、この組立机Ａを任意個数繋ぎ合わせて長尺机とする場合には、前記支柱４における不使用の縦穴ａ、つまり、前記支柱４に左右対称に形成されている縦穴ａ，ａのうち、前記連結杆３の垂直杆３ａが差し込まれていない側の縦穴ａに、図７〜図１０に示すように、別途用意された連結杆３の垂直杆３ａを差込み連結し、当該連結杆３の水平杆３ｂを別途用意された天板１の横穴ｂに差込み連結し、当該天板１における反対側の横穴ｂに別途用意された連結杆３の水平杆３ｂを差込み連結し、当該連結杆３の垂直杆３ａを別途用意された脚体２の支柱４の縦穴ａに差込み連結する等の手順により、天板１および脚体２を継ぎ足して行き、図７に示すように、任意枚数の天板１が隣接部位の脚体２を共用し且つ隣接部位の脚体２を介して互いに連結された実質的に一つの長尺机Ａ…Ａを組み立てることができる。このように、長尺机Ａ…Ａを構成するために追加する構成部品としては、天板一枚につき、脚体一本と連結杆二個の割合で別途用意すれば足り、組立机１台で２本、２台で３本、３台で４本、４台で５本、５台で６本といったように、天板１の使用枚数の割に、脚体２の使用本数が少なくなり、無駄のないシンプルなデザインの長尺机Ａ…Ａを実現し得るのである。
【００２０】
しかも、脚体２の支柱４を、支柱本体１０と、支柱本体１０の前後両側部に対して各々上方から挿抜自在に嵌合する前後一対の化粧カバー１１ａ，１１ｂとで構成したので、支柱本体１０を鋼板で製作しているにもかかわらず、材料鋼板の端縁（エッヂ）を化粧カバー１１ａ，１１ｂで隠蔽して安全を確保できると同時に、化粧カバー１１ａ，１１ｂの色彩を適当に選択することによって美麗な外観が得られるのである。
【００２１】
また、前記連結杆３を中空構造とし、前記支柱４および連結杆３の内部を配線用空間に構成してあるので、必要があれば、図１０に示すように、支柱４および連結杆３の内部に、電話線やその他の電線７を配線でき、図１１に示すように、天板１の上に載置して使用される各種電気機器（例えば、電話機、パーソナルコンピュータ、ワードプロセッサ、照明器具など）１６…への配線ができるだけ露出しないようにすることができる。尚、図１１に１ａで示す天板には、互いに直角な２辺の下面に横穴（前記連結杆３の水平杆３ｂを差込み連結する横穴）が形成されており、１ｂで示す天板には、三方の天板１と隣接する三辺の下面に横穴が形成されている。このような天板１ａ，１ｂを使用することにより、種々の形状の長尺机を実現できる。
【００２２】
【発明の効果】
請求項１の発明によれば、天板の下面両側部に設けられた横穴に、夫々、連結杆の水平杆を差込み連結する一方、左右一対の脚体における各支柱の縦穴に、前記連結杆の垂直杆を、夫々、差込み連結することにより、天板が一対の逆Ｔ字状の脚体で支持された単一の組立机を組み立てることができる。
そして、この組立机を任意個数繋ぎ合わせて長尺机とする場合には、前記支柱における不使用の縦穴、つまり、前記支柱に左右対称に形成されている縦穴のうち、前記連結杆の垂直杆が差し込まれていない側の縦穴に、別途用意された連結杆の垂直杆を差込み連結し、当該連結杆の水平杆を別途用意された天板の横穴に差込み連結し、当該天板における反対側の横穴に別途用意された連結杆の水平杆を差込み連結し、当該連結杆の垂直杆を別途用意された脚体の支柱の縦穴に差込み連結する等の手順により、天板および脚体を継ぎ足
して行き、任意枚数の天板が隣接部位の脚体を共用し且つ隣接部位の脚体を介して互いに連結された実質的に一つの長尺机を組み立てることができる。
従って、長尺机を構成するために追加する構成部品としては、天板一枚につき、脚体一本と連結杆二個の割合で別途用意すれば足り、組立机１台で２本、２台で３本、３台で４本、４台で５本、５台で６本といったように、天板の使用枚数の割に、脚体の使用本数が少なくなり、無駄のないシンプルなデザインの長尺机を実現し得るのである。
請求項１の発明によれば、脚体を金属板で製作した場合にも、材料金属板の端縁（エッヂ）を化粧カバーで隠蔽して安全を確保できると同時に美麗な外観が得られるという効果がある。
請求項２の発明によれば、支柱および連結杆の内部に配線を通すことにより、天板の上に載置して使用される各種電気機器（例えば、電話機、パーソナルコンピュータ、ワードプロセッサ、照明器具など）への配線ができるだけ露出しないようにすることができるという効果がある。
【図面の簡単な説明】
【図１】本発明に係る組立机の斜視図である。
【図２】上記組立机の一部を破断して示した分解斜視図である。
【図３】上記組立机の要部の縦断側面図である。
【図４】上記組立机の要部の縦断正面図である。
【図５】上記組立机の要部の分解斜視図である。
【図６】上記組立机の要部の縦断側面図である。
【図７】上記組立机を複数連結して長尺机を構成した状態を説明するための概略側面図である。
【図８】上記長尺机の一部を破断して示した分解斜視図である。
【図９】上記長尺机の連結部の斜視図である。
【図１０】上記長尺机の連結部の縦断側面図である。
【図１１】上記組立机の作用を説明するための概略斜視図である。
【符号の説明】
１…天板、２…脚体、３…連結杆、３ａ…垂直杆、３ｂ…水平杆、４…支柱、５…安定接地部、１０…支柱本体、１１ａ，１１ｂ…化粧カバー、ａ…縦穴、ｂ…横穴。
【図１】
0003621751.tif 000002
【図２】
0003621751.tif 000003
【図３】
0003621751.tif 000004
【図４】
0003621751.tif 000005
【図５】
0003621751.tif 000006
【図６】
0003621751.tif 000007
【図７】
0003621751.tif 000008
【図８】
0003621751.tif 000009
【図９】
0003621751.tif 000010
【図１０】
0003621751.tif 000011
【図１１】
0003621751.tif 000012